(57)【要約】【課題】肩掛けベルトのみを片方の肩に掛けて使用する場合には、従来通り何の違和感もなく使用でき、かつ肩からの滑り防止や肩掛け時の安定感が確実に得られる構造とする。【解決手段】両端部に鞄５０の吊り金具５１に係脱可能に係止する係止具１１が取り付けられたベルト本体１０と、このベルト本体１０に重ねるようにして設けられた補助ベルト２０とからなり、補助ベルト２０は、一端部２１が回動機構部３０によってベルト本体１０に対して回動可能に取り付けられており、他端部２２には、ベルト本体１０に設けられた被係着部材１５であるパイル状の面ファスナー部材に対して着脱可能な係着部材２５であるフック状の面ファスナー部材が設けられている。さらに、係着部材２５は、補助ベルト１０の長手方向に沿って所定長さに形成され、被係着材１５は、ベルト本体１０の長手方向に沿って所定長さに形成されている。【選択図】図１
2008023279.tif 000002
【特許請求の範囲】
【請求項１】
鞄を吊り下げて肩にかける肩掛けベルトであって、
両端部に前記鞄の吊り金具に係脱可能に係止する係止具が取り付けられたベルト本体と、このベルト本体に重ね合わせるようにして設けられた補助ベルトとからなり、
前記補助ベルトは、一端部が回動機構部によって前記ベルト本体に対して回動可能に取り付けられており、他端部には、前記ベルト本体に設けられた被係着部材に対して着脱可能な係着部材が設けられていることを特徴とする肩掛けベルト。
【請求項２】
前記係着部材及び前記被係着部材が面ファスナーであることを特徴とする請求項１に記載の肩掛けベルト。
【請求項３】
前記係着部材は、前記補助ベルトの長手方向に沿って所定長さに形成され、前記被係着部材は、前記ベルト本体の長手方向に沿って所定長さに形成されていることを特徴とする請求項２に記載の肩掛けベルト。
【発明の詳細な説明】
【技術分野】
【０００１】  本発明は、鞄を吊り下げて肩にかける肩掛けベルトに関する。
【背景技術】
【０００２】  従来から、鞄を吊り下げて片方の肩にかける肩掛けベルトにおいて、肩からの滑り防止や重量を両肩に均等配分する工夫が種々提案されている（例えば、特許文献１〜４等参照）。【０００３】  特許文献１の吊りバンドは、ずれ止め手段である細紐の両端部を、吊りバンドの両取り付け金具に設けられた係止具に係止し、中間部を肩当ての両側付近に取り付けられた係止具に挿通して配設し、細紐と吊りバンドで形成されるループ形状に腕を通し、そのループの内の肩から体正面を経て脇に至る部分でバッグと吊りバンドを支える構造となっている。【０００４】  また、特許文献２のサイドベルト付きショルダーバッグは、ショルダーバックの提げ手紐部分に、ループ状に形成された補助用のサイドベルトを着脱可能に設けた構造となっている。そして、使用時には、ショルダーベルトを掛けている肩とは反対側の肩にサイドベルトを掛ける構造、すなわちこのサイドベルトに腕を通す構造となっている。【０００５】  また、特許文献３の滑車付き肩掛けベルトは、鞄等を吊り下げる肩掛けベルトを挿通させた滑車を設け、この滑車部分を鞄の吊り下げ環に係止具で係止することで、肩掛けベルトを滑車を介して２つ折り可能な構造としたものである。そして、使用時には、一方の肩掛けベルトを例えば右肩に、他方の肩掛けベルトを左肩に掛けることで、肩からの滑りを防止するとともに、重量を略均等配分するようになっている。【０００６】  また、特許文献４のショルダーバッグは、肩掛けベルトと、支点移動ベルトと、支点間隔調節ベルトと、支点引き寄せベルトとを支点移動連結金具に連結させることにより、肩掛けベルトの吊り支点の位置を移動させ、その移動した支点に、肩掛けベルトを取り付ける構造となっている。
【特許文献１】  特開平１０−２６２７２１号公報
【特許文献２】  特開２００２−１１９３１７号公報
【特許文献３】  特開２００２−２５３３２６号公報
【特許文献４】  特開２００５−２１１６３０号公報
【発明の開示】
【発明が解決しようとする課題】
【０００７】  上記特許文献１〜４による肩掛けベルトの構造によれば、肩からの滑り防止や重量を両肩に略均等配分することが可能である。【０００８】  しかし、特許文献１の吊りバンドは、ずれ止め手段である細紐の両端部を、吊りバンドの両取り付け金具に設けられた係止具に係止し、中間部を肩当ての両側付近に取り付けられた係止具に挿通して配設する構造となっている。そのため、従来通り吊りバンドのみを片方の肩に掛けて使用する場合に、この細紐が邪魔になってしまうといった問題があった。また、鞄の開閉時にもこの細紐が邪魔になって開閉しにくいといった問題があった。【０００９】  また、特許文献２のサイドベルト付きショルダーバッグは、ショルダーバックの提げ手紐部分に、ループ状に形成された補助用のサイドベルトを設けた構造となっている。そのため、従来通りショルダーベルトのみを片方の肩に掛けて使用する場合に、このサイドベルトがバッグからぶら下がった状態となるため、邪魔になってしまうといった問題があった。この問題を解決するためには、普段使用しないときにサイドベルトをバッグから取り外し、使用するときにのみバッグに取り付ける、といった着脱作業をその都度行えばよいが、これでは使用に際して使い勝手の悪いものとなってしまう。また、使用しない場合にはバッグの中に入れておかなければならないため、その分他の荷物の収納スペースが狭くなってしまうといった問題や、サイドベルトをバッグから取り外すことで無くしてしまう危険性があるといった問題も発生する。【００１０】  また、特許文献３の滑車付き肩掛けベルトは、ベルト自体に滑車を付ける必要があるため、構造が複雑になるといった問題があった。また、２つ折りした肩掛けベルトは、両方の肩掛けベルトを両肩に掛けているときにちょうどよい長さに設定されているため、従来通り片方の肩にのみ掛けて使用した場合には、鞄が膝のところまで下がってしまい、使い勝手が悪いといった問題があった。つまり、従来通りの使い方ができない構造となっている。仮に、両方の肩掛けベルトを一方の肩に掛けた場合には、２つの肩あてが片方の肩に掛かることになるため、安定性や装着性が非常に悪いといった問題が発生する。【００１１】  また、特許文献４のショルダーバッグは、肩掛けベルトと、支点移動ベルトと、支点間隔調節ベルトと、支点引き寄せベルトとを支点移動連結金具に連結させた構造となっている。そのため、従来通り肩掛けベルトのみを片方の肩に掛けて使用する場合には、支点引き寄せベルトが鞄からぶら下がった状態となるため、逆に邪魔になってしまうといった問題があった。【００１２】  本発明はかかる問題点を解決すべく創案されたもので、その目的は、肩掛けベルトのみを片方の肩に掛けて使用する場合には、従来通り何の違和感もなく使用できるとともに、肩からの滑り防止や肩掛け時の安定感を確実に得ることのできる肩掛けベルトを提供することにある。
【課題を解決するための手段】
【００１３】  上記課題を解決するため、本発明の肩掛けベルトは、鞄を吊り下げて肩にかける肩掛けベルトであって、両端部に前記鞄の吊り金具に係脱可能に係止する係止具が取り付けられたベルト本体と、このベルト本体に重ねるようにして設けられた補助ベルトとからなり、前記補助ベルトは、一端部が回動機構部によって前記ベルト本体に対して回動可能に取り付けられており、他端部には、前記ベルト本体に設けられた被係着部材に対して着脱可能な係着部材が設けられていることを特徴とする。【００１４】  すなわち、本発明によれば、補助ベルトを使用しないときには、この補助ベルトがベルト本体に重なった一体構造となるため、ベルト本体をどのように肩に掛けようと、補助ベルトが邪魔になることはない。【００１５】  一方、肩掛けベルトのずり落ち防止や、鞄を身体にフィットさせて安定させたい場合には、ベルト本体を一方の肩に掛けている状態で、補助ベルトの他端部の係着部材をベルト本体の被係着部材から離脱させ（引き離し）、回動機構部を中心として回転させながら反対側の肩に掛けた後、再び係着部材を被係着部材に係着させればよい。これにより、ベルト本体が一方の肩に掛けられ、補助ベルトが他方の肩に掛けられた状態となるため、肩掛けベルトのずり落ちを確実に防止できるとともに、鞄を身体にフィットさせて安定させることができる。【００１６】  ここで、本発明では、前記係着部材及び前記被係着部材が面ファスナーによって形成されている。例えば、係着部材としてフック形状の一方の面ファスナー部材を使用し、被係着部材としてパイル状の他方の面ファスナー部材を使用する。また、本発明では、前記係着部材は、前記補助ベルトの長手方向に沿って所定長さに形成されており、前記被係着部材も、前記ベルト本体の長手方向に沿って所定長さに形成されている。このように、面ファスナーを所定長さに形成することで、補助ベルトを他方の肩に回し掛けしたときの長さ調整が可能となる。
【発明の効果】
【００１７】  本発明の肩掛けベルトによれば、補助ベルトを使用しないときには、この補助ベルトがベルト本体に重なった一体構造となるため、ベルト本体をどのように肩に掛けようと、補助ベルトが邪魔になることはない。一方、肩掛けベルトのずり落ち防止や、鞄を身体にフィットさせて安定させたい場合には、ベルト本体を一方の肩に掛けている状態で、補助ベルトを反対側の肩に掛け回すことにより、肩掛けベルトのずり落ちを確実に防止できるとともに、鞄を身体にフィットさせて安定させることができる。
【発明を実施するための最良の形態】
【００１８】  以下、本発明の実施の形態について、図面を参照して説明する。
図１は、本実施形態の肩掛けベルトを鞄に装着した状態を示す斜視図である。【００１９】  本実施形態の肩掛けベルト１は、ベルト本体１０と補助ベルト２０とからなり、ベルト本体１０の両端部には、鞄５０の左右上端部にそれぞれ設けられた環状の吊り金具５１，５１に係脱可能に係止するフック状の係止具１１，１１が取り付けられている。【００２０】  また、ベルト本体１０の一端寄り部には、ベルトの長さを調整するための調整金具１２が取り付けられている。この調整金具１２の構造及び調整方法は、従来周知の種々の構造及び方法が本実施形態の肩掛けベルト１でも使用可能であるため、ここでは詳細な説明を省略する。【００２１】  一方、補助ベルト２０は、ベルト本体１０と略同じ幅であって、ベルト本体１０よりも短めに形成されており、ベルト本体１０の下面側（肩に掛ける面側）に重ね合わせるようにして一体的に設けられている。【００２２】  この補助ベルト２０の一端部２１は、回動機構部３０によってベルト本体１０に対して回動可能に取り付けられており、他端部２２の上面側には、ベルト本体１０の下面側に設けられた被係着部材１５に対して着脱可能な係着部材２５が設けられている。【００２３】  図２は、回動機構部３０の周辺構造を示しており、（ａ）は補助ベルト２０側から見た平面図、（ｂ）はベルト本体１０側から見た平面図、（ｃ）は縦断面図である。【００２４】  補助ベルト２０の一端部２１は、合成皮革等の素材による保護部材２３によって被覆されている。すなわち、図２（ｃ）に示すように、短冊状の保護部材２３を略Ｕ字状に折りまげて一端部２１を上下から挟み込むように配置し、この状態で保護部材２３と補助ベルト２０の一端部２１との間を接着及び／または縫合等によって固着している。また、補助ベルト２０の一端部２１に対向するベルト本体１０の上面側には、同じく合成皮革等の素材による保護部材１３が接着及び／または縫合等によって固着されている。そして、このように保護部材２３，１３が固着された補助ベルト２０の一端部２１とベルト本体１０とに、上下に貫通する開口部１４，２４を形成し、この開口部１４，２４に回動機構部３０を構成するリベット３１が取り付けられている。リベット３１の両端部には、抜け止め用の頭部３２が形成されている。このリベット３１は、頭部の形状により、丸リベット、皿リベット、平リベット等とすることができる。【００２５】  このような構造により、補助ベルト２０は、リベット３１を回動中心（回動軸）として、図２（ａ）中に矢符Ｒで示す水平方向に回動可能となっている。ここで、上記したように、開口部１４，２４の周辺は保護部材１３，２３で覆われており、若干の強度が付加されている。これにより、長年使用により開口部１４，２４の周辺部に亀裂が入ってベルトがちぎれてしまうといった不測の事態の発生を防止し、耐久性を確保している。【００２６】  一方、補助ベルト２０の他端部２２に設けられた係着部材２５及びベルト本体１０に設けられた被係着部材１５は、図３に示すように、例えば面ファスナーによって形成されている。本実施形態では、係着部材２５としてフック形状の一方の面ファスナー部材を使用し、被係着部材１５としてパイル状の他方の��ファスナー部材を使用している。また、本実施形態では、係着部材２５は、補助ベルト２０の長手方向に沿って所定長さＬ（例えば、１０〜１５ｃｍ程度）に形成されており、被係着部材１５も同様に、ベルト本体１０の長手方向に沿って所定長さＬ（同じく１０〜１５ｃｍ程度）に形成されている。このように、係着部材２５及び被係着部材１５を所定長さＬに形成することで、補助ベルト２０を他方の肩に回し掛けしたときの長さ調整が可能となる。【００２７】  次に、上記構成の肩掛けベルト１の使用状態及び使用方法について説明する。【００２８】  図４は、従来通りの使用状態を示している。すなわち、補助ベルト２０をベルト本体１０の上に重ね合わせて一体とした状態で、片方の肩にベルト本体１０のみを掛けている状態であり、同図（ａ）は鞄５０と肩掛けベルト１とが同じ側にくるように掛けた状態、同図（ｂ）は、鞄５０と肩掛けベルト１とが違う側にくるように掛けた状態（すなわち、肩掛けベルト１をたすき状に掛けた状態）を示している。すなわち、補助ベルト２０がベルト本体１０に重なった一体構造となっているため、ベルト本体１０をどのように肩に掛けようと、補助ベルト２０が邪魔になることはない。【００２９】  一方、肩掛けベルト１のずり落ち防止や、鞄５０を身体にフィットさせて安定させたい場合には、ベルト本体１０を一方の肩に掛けている状態（図４に示す状態）で、補助ベルト２０の他端部２２の係着部材２５をベルト本体１０の被係着部材１５から離脱させ（引き離し）、回動機構部３０を中心として回転させながら反対側の肩に回し掛けし、この後、再び係着部材２５を被係着部材１５に係着させればよい。これにより、図５（ａ），（ｃ）に示すように、ベルト本体１０が一方の肩に掛けられ、補助ベルト２０が他方の肩に掛けられた状態となるため、肩掛けベルト１のずり落ちを確実に防止できるとともに、鞄５０の重量を左右の肩に略均等に配分することができ、さらに、鞄５０を身体にフィットさせて安定させることができる。因みに、図５（ａ）は、図４（ａ）に示す状態から補助ベルト２０を反対側の肩に回し掛けした状態、図５（ｃ）は図４（ｂ）に示す状態から補助ベルト２０を反対側の肩に回し掛けした状態をそれぞれ示している。また、図５（ｂ）は、図５（ａ）のように肩掛けベルト１を両肩に掛けたときの背面から見た状態を示している。【００３０】  このとき、係着部材２５及び被１５を所定長さＬに形成しているので、係着部材２５と被係着部材１５との係着位置をこの範囲内で自由に選択することができるため、補助ベルト２０を他方の肩に掛け回したときの長さ調整が可能となる。【００３１】  因みに、図６は本発明の肩掛けベルト１の他の使用状態を示している。すなわち、この使用例では、補助ベルト２０を腰に回して鞄５０を身体によりフィットさせている。
【図面の簡単な説明】
【００３２】
【図１】本発明の肩掛けベルトを鞄に装着した状態を示す斜視図である。
【図２】回動機構部の周辺構造を示しており、（ａ）は補助ベルト側から見た平面図、（ｂ）はベルト本体側から見た平面図、（ｃ）は縦断面図である。
【図３】（ａ）は補助ベルトの他端部に設けられた係着部材及びベルト本体に設けられた被係着部材の構造を示す斜視図、（ｂ）は同断面図である。
【図４】（ａ），（ｂ）は本発明の肩掛けベルトの従来通りの使用状態を示す正面図である。
【図５】（ａ）は本発明の肩掛けベルトの使用状態を示す正面図、（ｂ）は同背面図、（ｃ）は本発明の肩掛けベルトの他の使用状態を示す正面図である。
【図６】本発明の肩掛けベルトのさらに他の使用状態を示す正面図である。
【符号の説明】
【００３３】１  肩掛けベルト
１０  ベルト本体
１１  係止具
１２  調整金具
１４  開口部
１５  被係着部材
２０  補助ベルト
２１  一端部
２２  他端部
２３  保護部材
２４  開口部
２５  係着部材
３０  回転機構部
３１  リベット
５０  鞄
５１  吊り金具
【図１】
2008023279.tif 000003
【図２】
2008023279.tif 000004
【図３】
2008023279.tif 000005
【図４】
2008023279.tif 000006
【図５】
2008023279.tif 000007
【図６】
2008023279.tif 000008